(57)【要約】【課題】コンパクトで、接続パイプ使用時の安定性に優れた縦型電気掃除機を提供する。【解決手段】集塵部１３を内蔵した掃除機本体１０の下方に設けられた床用吸込具１９と、一端が前記床用吸込具１９に連通する接続パイプ２１と、一端が前記接続パイプ２１の他端に接続されるホース２２と、前記ホース２２の他端が接続されると共に前記集塵部１３と連通する接続部２３とを備え、前記接続部２３を前記掃除機本体１０の後方下部に設けたもので、床面から、ホース２２の接続部２３までの距離が短くなり、廉価な構成で、使用者が、接続パイプ２１を使用する場合、掃除機本体１０のスタンド状態は安定し、転倒しにくくなり使い勝手が向上する。【選択図】図２
2011224188.tif 000002
【特許請求の範囲】
【請求項１】
集塵部を内蔵した掃除機本体の下方に設けられた床用吸込具と、一端が前記床用吸込具に連通する接続パイプと、一端が前記接続パイプの他端に接続されるホースと、前記ホースの他端が接続されると共に前記集塵部と連通する接続部とを備え、前記接続部を前記掃除機本体の後方下部に設けた縦型電気掃除機。
【請求項２】
一端が床用吸込具に連通し、他端に接続パイプの一端が着脱自在に接続される保持体を設け、前記保持体を、掃除機本体の後方側面側に配設した請求項１に記載の縦型電気掃除機。
【請求項３】
接続部と、保持体を相対するよう位置をずらせて配した請求項１または２に記載の縦型電気掃除機。
【請求項４】
接続部を、掃除機本体を前方側から見て、前記掃除機本体に隠れる位置に配設した請求項１〜３のいずれか１項に記載の縦型電気掃除機。    
【請求項５】
保持体を、掃除機本体を前方側から見て、前記掃除機本体に隠れる位置に配設した請求項１〜４のいずれか１項に記載の縦型電気掃除機。
【発明の詳細な説明】
【技術分野】
【０００１】
本発明は、下方に床用吸込具を備えた縦型電気掃除機に関するものである。
【背景技術】
【０００２】
従来のこの種の縦型電気掃除機は、特許文献１に記載されているようなものが一般的であった。この従来の電気掃除機について図７、図８を用いて説明する。
【０００３】
図７、８において、従来の縦型電気掃除機の掃除機本体１の下方には、電動送風機２が内蔵され、掃除機本体１の中央には、電動送風機２と連通すると共に吸引された塵埃を捕集する集塵部３が配設されている。前記集塵部３の前記掃除機本体１の中央上部には、吸引用のホース４の一端が接続され、ホース４の他端には、接続パイプ５が設けられている。前記接続パイプ５は、掃除機本体１の下方に着脱自在に設けられており、この接続パイプ５は、床用吸込具６と連通するように構成されているのが一般的であった。
【先行技術文献】
【特許文献】
【０００４】
【特許文献１】特開平１０−１２７５３６号公報
【発明の概要】
【発明が解決しようとする課題】
【０００５】
しかしながら、上記特許文献１に記載されたような従来の電気掃除機の構成では、接続パイプ５からゴミを吸取る作業をする場合、ホース４は、集塵部３の掃除機本体１の中央上部に位置しているため、ホース４を横方向に引伸ばした時、図８に示すように、床面からホース４の接続部までの距離Ｌが長いため、掃除機本体１が不安定になって転倒しやすく、また、接続パイプ５を使った高いところの掃除にも支障を来たし、非常に面倒であった。
【０００６】
本発明は、上記従来の課題を解決するもので、接続パイプを使った掃除中に掃除機本体の安定性を向上させ、転倒が生じ難い縦型電気掃除機を提供することを目的とする。
【課題を解決するための手段】
【０００７】
上記従来の課題を解決するために、本発明の縦型電気掃除機は、集塵部を内蔵した掃除機本体の下方に設けられた床用吸込具と、一端が前記床用吸込具に連通する接続パイプと、一端が前記接続パイプの他端に接続されるホースと、前記ホースの他端が接続されると共に前記集塵部と連通する接続部とを備え、前記接続部を前記掃除機本体の後方下部に設けたもので、床面から、ホースの接続部までの距離が短くなり、廉価な構成で、使用者が、接続パイプを使用する場合、縦型電気掃除機本体のスタンド状態は安定し転倒しにくくなり使い勝手が向上する。
【発明の効果】
【０００８】
本発明の縦型電気掃除機は、ホースと連通する接続パイプの使用時に、掃除機本体の転倒が生じ難く、使い勝手の良いものである。
【図面の簡単な説明】
【０００９】
【図１】本発明の実施の形態１における縦型電気掃除機の全体斜視図
【図２】同縦型電気掃除機の後面から見た全体斜視図
【図３】同縦型電気掃除機の断面図
【図４】同縦型電気掃除機の背面から見た部分断面図
【図５】同縦型電気掃除機の接続パイプを外した状態の斜視図
【図６】同縦型電気掃除機の正面から見た正面図
【図７】従来の縦型電気掃除機の要部断面図
【図８】同縦型電気掃除機の側面図
【発明を実施するための形態】
【００１０】
第１の発明は、集塵部を内蔵した掃除機本体の下方に設けられた床用吸込具と、一端が前記床用吸込具に連通する接続パイプと、一端が前記接続パイプの他端に接続されるホースと、前記ホースの他端が接続されると共に前記集塵部と連通する接続部とを備え、前記接続部を前記掃除機本体の後方下部に設けたもので、床面から、ホースの接続部までの距離が短くなり、廉価な構成で、使用者が、接続パイプを使用する場合、縦型電気掃除機本体のスタンド状態は安定し転倒しにくくなり使い勝手が向上する。
【００１１】
第２の発明は、特に、第１の発明の縦型電気掃除機において、一端が床用吸込具に連通し、他端に接続パイプの一端が着脱自在に接続される保持体を設け、前記保持体を、掃除機本体の後方側面側に配設したもので、接続パイプは、掃除機本体の外壁から離れ、接続パイプと、保持体との着脱動作時及び、使用時は、保持体から取出す掃除動作にすぐに移れ、使い勝手が向上する。
【００１２】
第３の発明は、特に、第１又は第２の接続部と、保持体を相対するよう位置をずらせて配したもので、接続パイプは、掃除機本体の外壁及び、ホースの接続部から離れ、ホースの接続部と干渉することなく、接続パイプと、保持体との着脱動作が容易なり、掃除機本体のスペースを有効活用しコンパクト化が図れる。
【００１３】
第４の発明は、特に、第１〜３のいずれか一つの発明の接続部を、掃除機本体を前方側から見て、前記掃除機本体に隠れる位置に配設したもので、正面から掃除機本体を見た際のコンパクト性を実現することができる。
【００１４】
第５の発明は、特に、第１〜４のいずれか一つの発明の保持体を、掃除機本体を前方側から見て、前記掃除機本体に隠れる位置に配設したもので、正面から掃除機本体を見た際のコンパクト性を実現させ、掃除機本体の外観美を向上させることができる。
【００１５】
以下、本発明の実施の形態について、図面を参照しながら説明する。なお、この実施の形態によって本発明が限定されるものではない。
【００１６】
（実施の形態１）
本発明の第１の実施の形態における縦型電気掃除機について、図１〜図６を用いて説明する。図１は、本実施の形態における縦型電気掃除機の全体斜視図、図２は、同縦型電気掃除機の後面から見た全体斜視図、図３は、同縦型電気掃除機の断面図、図４は、同縦型電気掃除機の背面から見た部分断面図、図５は、同縦型電気掃除機の接続パイプを外した状態の斜視図、図６は、同縦型電気掃除機の正面から見た正面図である。
【００１７】
図１〜図３において、本実施の形態における電気掃除機の掃除機本体１０の下方には、電動送風機１１を内蔵する電動送風機室１２、中央には、集塵部１３をそれぞれ備え、この集塵部１３の上側には、電源供給用のコード１４が収容されるコードリール収容部１５が備えられている。
【００１８】
掃除機本体１０の上端には、運搬用ハンドル１６が設けられ、掃除機本体１０上端の後方には、操作用でかつ延長管１７を兼ね備えたハンドル１８が具備されている。掃除機本
体１０の下方に、上下に首振り可能に取り付けられた床用吸込具１９を具備し、この床用吸込具１９は、掃除機本体１０の下方に設けられた保持体２０の下端と着脱自在に設けられている。保持体２０の他方には、接続パイプ２１の一端が着脱自在に接続されており、この接続パイプ２１は、ホース２２と連通されている。またホース２２の他端は、集塵部１３と連通すると共に、掃除機本体１０の後方側面部に設けられた接続部２３に接続されている。
【００１９】
図３、図４において、床用吸込具１９の吸込み口２４から吸引された塵埃の吸気通路２５は、矢印方向で示すように、床用吸込具１９の吸込み口２４から、保持体２０を通り、接続パイプ２１へと流れる。接続パイプ２１から流れた塵埃は、ホース２２を介し、接続部２３へと流れ、接続部２３から流れた塵埃は、吸気通路２５を介し集塵部１３へと堆積される通路構成で形成されている。
【００２０】
また、図４において、保持体２０は、掃除機本体１０の長手方向に対し略Ｌ字状に形成され、一端には、テーパー嵌合にて接続パイプ２１が着脱自在に接続される。また、ホース２２の他端で、集塵部１３と連通する接続部２３も、掃除機本体１０の長手方向に対し略Ｌ字状に形成されると共に、掃除機本体１０の後方で且つ、下方の電動送風機１１近傍に配設されている。
【００２１】
上記構成により、接続パイプ２１を使用する場合、図５で示すように、使用者は、接続パイプ２１を保持体２０から外す。この時、床面から、ホース２２の接続部２３までの距離Ａが短くなり、廉価な構成で、掃除機本体１０のスタンド状態での安定性が向上し転倒しにくくなり使い勝手が向上する。
【００２２】
また、図４において、保持体２０は、掃除機本体１０の長手方向に対し略Ｌ字状に形成され、掃除機本体１０の後方で且つ、下方の電動送風機１１の近傍に配設され、テーパー嵌合にて接続パイプ２１と着脱自在に設けられていることより、接続パイプ２１は、保持体２０との収納動作及び、着脱動作が簡素化され使用性が向上する。
【００２３】
また、本実施の形態では、図４に示すように、ホース２２の接続部２３と、接続パイプ２１の保持体２０は、吸気通路２５に対して相対するよう位置をずらせた構成となっているので、接続パイプ２１は、掃除機本体１０の外壁２６及び、ホース２２の接続部２３から離れた位置となり、接続部２３と干渉することなく、接続パイプ２１と、保持体２０との着脱動作が容易なり、掃除機本体１０のスペースを有効活用しコンパクト化が図れる。
【００２４】
また、図４、図６に示すように、ホース２２と接続される接続部２３は、掃除機本体１０の後方で、掃除機本体１０の前方から見て、掃除機本体１０に隠れるように配設されているので、掃除機本体１０を正面から見た際、接続部２３は、掃除機本体１０から隠れ、幅方向でのコンパクト化が可能となる。
【００２５】
また、図４、図６に示すように、接続パイプ２１と着脱自在に接続される保持体２０を、掃除機本体１０の後方で、掃除機本体１０の前方から見て、掃除機本体１０に隠れるように配設しているので、掃除機本体１０を正面から見た際のコンパクト性を実現させ、掃除機本体１０の外観美が損なわれることがなくなる。
【産業上の利用可能性】
【００２６】
以上のように、本発明に係る縦型電気掃除機は、接続パイプの使い勝手がよく、また安定性の向上を実現できるもので、家庭用、業務用の各種縦型電気掃除機に適用できる。
【符号の説明】
【００２７】
１０  掃除機本体
１３  集塵部
１９  床用吸込具
２０  保持体
２１  接続パイプ
２２  ホース
２３  接続部
２５  吸気通路
【図１】
2011224188.tif 000003
【図２】
2011224188.tif 000004
【図３】
2011224188.tif 000005
【図４】
2011224188.tif 000006
【図５】
2011224188.tif 000007
【図６】
2011224188.tif 000008
【図７】
2011224188.tif 000009
【図８】
2011224188.tif 000010